【事件の表示】
　特願２０１２−１３７１８２号「スロットマシン」拒絶査定不服審判事件〔平成２６年１月９日出願公開、特開２０１４−２１４号〕について、次のとおり審決する。
【結　論】
　本件審判の請求は、成り立たない。
【理　由】
第１　手続の経緯
　本願は、平成２４年６月１８日の特許出願であって、平成２８年３月２４日付けで拒絶の理由が通知され、同年５月２５日に意見書及び手続補正書が提出され、同年１０月３１日付けで拒絶査定がなされ（発送日：同年１１月８日）、それに対し、平成２９年２月７日に拒絶査定不服審判の請求がなされると同時に手続補正書が提出されたものである。
　
第２　平成２９年２月７日付けの手続補正についての補正却下の決定
［補正却下の決定の結論］
　平成２９年２月７日付けの手続補正（以下「本件補正」という。）を却下する。
　
［理由］
　１　補正の内容
　本件補正は、特許請求の範囲の補正を含んでおり、本件補正により、平成２８年５月２５日付けの手続補正書における特許請求の範囲の請求項４における
「【請求項４】
　各々が識別可能な複数種類の識別情報が所定の順番で配置された表示帯を移動させることで変動表示可能な可変表示部を複数備え、
　前記可変表示部の変動表示を停止することで表示結果を導出し、複数の可変表示部の表示結果の組合せに応じて入賞が発生可能なスロットマシンにおいて、
　表示結果が導出される前に、入賞について発生を許容するか否かを決定する事前決定手段と、
　遊技者が表示結果を導出させるために操作する導出操作手段と、
　前記可変表示部の変動速度が規定の速度となったときに前記導出操作手段の操作を有効化する導出操作有効化手段と、
　前記導出操作手段が操作されたときに表示結果を導出する制御を行う導出制御手段と、
　前記導出操作有効化手段による前記導出操作手段の操作の有効化を遅延させることが可能な有効化遅延手段と、
　前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
　前記特殊変動制御手段が前記特殊変動制御を行った後に、所定値をランダムに決定する所定値決定手段と、
　を備え、
　前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、一の表示帯に対する他の表示帯の位置関係を表示帯が１周する範囲内でランダムに変化させ、
　スロットマシンはさらに、
　定期的にタイマ割込み処理を実行して遊技状態を制御する遊技制御手段と、
　前記可変表示部を変動表示させるためのステッピングモータとを備え、
　前記タイマ割込み処理は、
　　前記ステッピングモータを駆動制御することにより、前記複数の可変表示部の変動速度が規定の速度である定常状態となるように前記複数の可変表示部の変動制御を行う定常処理と、
　　前記ステッピングモータを駆動制御することにより、前記定常状態とは異なり前記特殊変動制御を行う非定常状態となるように前記複数の可変表示部の変動制御を行う非定常処理と、
　　所定の条件に応じて実行される処理期間が異なる特別処理とを含み、
　前記非定常処理は、前記タイマ割込み処理において、前記特別処理の前に実行される
　ことを特徴とする、スロットマシン。」を、
　
　審判請求時に提出された手続補正書（平成２９年２月７日付け）における
「【請求項４】
Ａ　各々が識別可能な複数種類の識別情報が所定の順番で配置された表示帯を移動させることで変動表示可能な可変表示部を複数備え、
Ｂ　前記可変表示部の変動表示を停止することで表示結果を導出し、複数の可変表示部の表示結果の組合せに応じて入賞が発生可能なスロットマシンにおいて、
Ｃ　表示結果が導出される前に、入賞について発生を許容するか否かを決定する事前決定手段と、
Ｄ　遊技者が表示結果を導出させるために操作する導出操作手段と、
Ｅ　前記可変表示部の変動速度が規定の速度となったときに前記導出操作手段の操作を有効化する導出操作有効化手段と、
Ｆ　前記導出操作手段が操作されたときに表示結果を導出する制御を行う導出制御手段と、
Ｇ　前記導出操作有効化手段による前記導出操作手段の操作の有効化を遅延させることが可能な有効化遅延手段と、
Ｈ　前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
Ｉ　前記特殊変動制御手段が前記特殊変動制御を行った後に、所定値をランダムに決定する所定値決定手段と、
　を備え、
Ｊ　前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、
前記複数の可変表示部を構成する表示帯同士の相対的な位置関係を変化させることが可能であり
Ｋ　スロットマシンはさらに、
　定期的にタイマ割込み処理を実行して遊技状態を制御する遊技制御手段と、
Ｌ　前記可変表示部を変動表示させるためのステッピングモータとを備え、
Ｍ　前記タイマ割込み処理は、
Ｍ１　前記ステッピングモータを駆動制御することにより、前記複数の可変表示部の変動速度が規定の速度である定常状態となるように前記複数の可変表示部の変動制御を行う定常処理と、
Ｍ２　前記ステッピングモータを駆動制御することにより、前記定常状態とは異なり前記特殊変動制御を行う非定常状態となるように前記複数の可変表示部の変動制御を行う非定常処理と、
Ｍ３　所定の条件に応じて実行される処理期間が異なる特別処理とを含み、
Ｎ　前記非定常処理は、前記タイマ割込み処理において、前記特別処理の前に実行され
、
Ｏ　
前記所定値決定手段は、一の可変表示部を構成する表示帯と該一の可変表示部に隣接する可変表示部を構成する表示帯の相対的な位置関係が変化しない第１値から、一の可変表示部を構成する表示帯と該一の可変表示部に隣接する可変表示部を構成する表示帯の相対的な位置関係が１周分変化する値から１を減算した第２値までの間の値から、いずれの値も決定され得るようにランダムに前記所定値を決定する
　ことを特徴とする、スロットマシン。」に補正するものである（下線は、補正箇所を明示するために当審にて付した。また、Ａ〜Ｏは、当審にて分説して付した。）。
　
　２　補正の目的
　上記補正は、補正前の請求項４に記載した発明を特定するために必要な事項である「所定値決定手段」に関して、「前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、一の表示帯に対する他の表示帯の位置関係を表示帯が１周する範囲内でランダムに変化させ、」とあったものを、「前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、
前記複数の可変表示部を構成する表示帯同士の相対的な位置関係を変化させることが可能であり
前記所定値決定手段は、一の可変表示部を構成する表示帯と該一の可変表示部に隣接する可変表示部を構成する表示帯の相対的な位置関係が変化しない第１値から、一の可変表示部を構成する表示帯と該一の可変表示部に隣接する可変表示部を構成する表示帯の相対的な位置関係が１周分変化する値から１を減算した第２値までの間の値から、いずれの値も決定され得るようにランダムに前記所定値を決定する
　
　そして、本件補正は新規事項を追加するものではない。
　
　３　独立特許要件について
　そこで、本件補正後の特許請求の範囲の請求項４に係る発明（以下「本件補正発明」という。）が特許出願の際独立して特許を受けることができるものであるか、すなわち、特許法第１７条の２第６項において準用する同法第１２６条第７項の規定に適合するかについて、以下に検討する。
　
　（１）刊行物
　　　ア　刊行物１
　原査定の拒絶理由において提示された、本願の出願前に頒布された刊行物である特開２０１１−７２３３２号公報（以下「刊行物１」という。）には、図面と共に次の事項が記載されている（下線は審決にて付した。以下同じ。）。
　
　・記載事項
　　　（ア）「【請求項１】
　複数種類の図柄が複数の表示位置に各々表示された複数のリールを回転させ、
該複数のリールが全て停止したときに入賞ラインに沿って停止表示された図柄組合せが、予め定められた複数の役のうちいずれかに対応していた場合、該対応する役が成立するスロットマシンであって
　
外部からの操作に応じて、前記複数のリールの回転停止を指示する回転停止指示手段と
　
前記複数のリールが回転を開始してから所定の定常回転速度に達するまでの間、前記回転停止指示手段からの指示を無効化する回転指示無効化手段と
　前記複数のリールの各々に表示された複数の図柄のうち、予め定められた所定図柄によって構成される所定の図柄組合せが前記入賞ラインに沿って停止表示されると、前記複数の役のうち特定の役が成立する確率が、前記所定の図柄組合せの停止表示前と異なる特定遊技状態へ移行させる遊技状態移行手段と、
　前記遊技状態移行手段によって、前記特定遊技状態へ移行したか否かを判断する特定遊技状態判断手段と、
　前記特定遊技状態判断手段が前記特定遊技状態へ移行したと判断すると、前記複数のリールが回転を開始してから前記定常回転速度に達するまでの間に、各リールにおいて、前記所定図柄から所定数の図柄を隔てて表示されている特定の図柄が、前記入賞ラインに沿うこととなる相対位置を保った状態で回転するように、前記入賞ラインに沿って停止表示された前記所定図柄を起点として、前記複数のリールの回転を制御するリール回転制御手段と、を備え、
　前記
リール回転制御手段は、
　前記複数のリールの各々における前記特定の図柄が、前記入賞ラインに沿うこととなる相対位置を保った状態で、前記複数のリールを所定時間回転させた後、前記複数のリールの回転速度を前記定常回転速度まで加速する
スロットマシン
　
　　　（イ）「【０００１】
　本発明は、遊技者が遊技媒体を投入し、リールを回転させた後に停止させ、そのときに表示されているリールに描かれた図柄の組合せによって遊技結果が定まる
スロットマシンに関する。
　
　　　（ウ）「【００２５】
　以下、図面を参照しながら、本発明の実施形態を詳細に説明する。
［第１実施形態］
　本実施形態に係るスロットマシン１０の外観を図１に示す。図１は、スロットマシン１０の正面図であり、同図において、スロットマシン１０の筐体の前面部には、フロントパネル２０が設けられている。このフロントパネル２０の略中央には、スロットマシン１０の内部に
回転自在に設けられている３個のリール４０Ｌ，４０Ｃ及び４０Ｒの外周面に印刷された図柄を表示する、
リール４０Ｌ，４０Ｃ及び４０Ｒは、
その外周面には２１個の図柄が等間隔で印刷された帯状のリールテープが貼り付けられている
　
　　　（エ）「【００３９】
≪主制御回路の説明≫
　中央処理装置（以下、ＣＰＵと称する）１０６は、入出力バス１０４を介して入力される各種情報に応じて、ＲＯＭ１０８に記憶されている各種制御プログラムを実行することで、スロットマシン１０における遊技の制御を行う。
ＣＰＵ１０６は、各種制御プログラムの処理を、クロック発生回路１１２から供給されるクロック信号ＣＬＫおよび割込信号ＩＲに従って行っている。
・・・
　【００５５】
≪主制御回路の説明≫
　
主制御回路１００は、役抽選手段４１０
を含む。役抽選手段４１０は、役抽選処理によって、予め定められた役のうち、いずれか１つまたは複数の役に当選したか否かを定めるものである。
　
　　　（オ）「【００６９】
＜リール制御手段の説明＞
　
リール制御手段４２０は、
リール４０Ｌ、４０Ｃ、４０Ｒの回転駆動に関する制御を行う。
ステッピングモータ８０Ｌ、８０Ｃ、８０Ｒを駆動し、リール４０Ｌ、４０Ｃ、４０Ｒを回転させる。
各リールの停止状態から定常回転速度
に到達するまでの間
加速パターン
【００７０】
　ここで、図１２に加速パターンの一例を示す。この図に示す加速パターンは、各リールを停止状態から加速するために、駆動パルス出力手段４２２２からモータ駆動回路１１６Ｌ，１１６Ｃ，１１６Ｒに対して出力する駆動パルスの数と、駆動パルスを出力するタイミングとを定めたものである。これにより、モータ駆動回路１１６Ｌ，１１６Ｃ，１１６Ｒは、各駆動パルスが出力されるごとに、図５に示した励磁パターンに従って、各々対応するステッピングモータ８０Ｌ、８０Ｃ、８０Ｒに対して、電流を供給する相を順次切り替えていくことで、各リールを加速する。また、
この図において、（ａ）は遊技を開始するためにリール４０Ｌ、４０Ｃ、４０Ｒを回転させるための通常加速パターンの内容を示しており、
一般遊技からＲＴ遊技へ移行するときに、そのことを示す演出を行うためのＲＴ移行時加速パターン
【００７１】
　図１２に示す加速パターンでは、
各駆動パルスの出力タイミングを指定する
クロック発生回路１１２から割込信号ＩＲが出力された数によって表されている。例えば、（ａ）の通常加速パターンにおいて
【００７２】
　さらに、９発目から１７発目までの駆動パルスは、各々、直前の駆動パルスが出力されてから割込信号ＩＲが２回出力されたとき（時間にして１．４９［ｍｓｅｃ］×２＝２．９８［ｍｓｅｃ］が経過した時）に出力される。そして、１８発目の駆動パルスは、１７発目の駆動パルスが出力されてから次の割込信号ＩＲが出力されたときに出力される。１８発目の駆動パルスが出力されると、
各リールは定常回転速度に達し
・・・
【００７５】
　リール停止制御手段４２４は、ストップスイッチ３７Ｌ、３７Ｃ、３７Ｒから発信されたリール停止信号に応じて、リール４０Ｌ、４０Ｃ、４０Ｒを停止させる。このとき、
リール停止制御手段４２４は、予め定められた制約の範囲内で、役抽選の結果に則した図柄組合せが有効ラインに沿って停止表示される制御を行う
　
　　　（カ）「【０１１０】
　ＲＴ移行フラグがオンになっていた（ＹＥＳ）場合は、ＲＴ遊技へ移行したことを示す演出を実行すべく、
ＣＰＵ１０６は、
ＲＴ移行時加速パターンに従って、モータ駆動回路１１６Ｌ、１１６Ｃ、１１６Ｒへ駆動パルスを出力する
この駆動パルスの出力に関する処理は、
クロック発生回路１１２から割込信号ＩＲが出力されるごとに実行する割込処理
によって行われる。
　
　　　（キ）　「【０１４９】
　本実施形態における
リール演出回転処理
ＲＴ遊技へ移行後の最初の遊技において実行される、
リール４０Ｌ，４０Ｃ，４０Ｒを用いた演出を行うための割込処理（以下、リール加速処理という）
【０１５０】
　なお、
この加速処理は、
クロック発生回路１１２から割込信号ＩＲが出力されるごとに、モータ駆動回路１１６Ｒ，１１６Ｃ，１１６Ｌの各々について個別に実行される
・・・
【０１５３】
　すなわち、前述したように、図２１の図柄配列においては、小役４に対応する図柄組合せが有効ラインに沿って停止表示されると、各リールのボーナス図柄は、左リール４０Ｌを基準とすると、中リール４０Ｃについては２図柄分、右リール４０Ｒについては３図柄分ずれている。また、各リールに対応するモータ駆動回路に対して、いずれも図１２（ｂ）に示した加速パターンに従って駆動パルス出力する。よって、
各モータ駆動回路に対する駆動パルスの出力処理の開始タイミングに時間差をつけることで、各リールにおけるボーナス図柄の位置を一致させるものである。
・・・
【０１５７】
　これに対して、ステップ数が「９」になっていた（ＹＥＳ）場合は、ＣＰＵ１０６は、他のモータ駆動回路に対するリール加速処理におけるステップ数も、すべて「９」になっているか否かを判断する（ステップＳ３２８）。他のモータ駆動回路に対するリール加速処理において、未だ図１２（ｂ）に示した加速パターンに従って駆動パルスを出力している（ＮＯ）場合は、割込カウンタの値に「２」をセットして（ステップＳ３３０）、リール加速処理を終了する。これに対して、
全てのモータ駆動回路に対するリール加速処理において、図１２（ｂ）に示した加速パターンに従って駆動パルスを出力し終えていた場合（ＹＥＳ）は、ＣＰＵ１０６は、
リール加速処理を終了する。
【０１５８】
　リール駆動状態が「仮定速中」に移行すると、次の割込信号ＩＲが出力されたときに、ステップＳ３１０の判断結果がＮＯとなり、図２４に示す処理へ移行する。まず、ＣＰＵ１０６は、現在のリール駆動状態が「仮定速中」であるか否かを判断する（ステップＳ３３４）。現在のリール駆動状態が「仮定速中」である（ＹＥＳ）ときは、
ＣＰＵ１０６は、
リール加速処理を終了して他の割込処理を実行する。
【０１５９】
　次にＣＰＵ１０６は、
リール駆動状態が「仮定速中」に移行してから、
所定時間が経過した場合は、
リール駆動状態を「再加速中」に更新し
、再加速カウンタの値に各モータ駆動回路に対応する初期値を設定する（ステップＳ３５０）。
【０１６０】
　ここで、再加速カウンタの値は、割込信号ＩＲが出力されるごと（すなわち、リール加速処理が行われるごと）に、初期値から「１」ずつ減算され、「０」になったときに、仮定速中の回転速度から定常回転速度へ再加速を行う。また、再加速カウンタの初期値は、各リール対応するモータ駆動回路ごとに異なっており、リール駆動回路１１６Ｌについては「７２」、リール駆動回路１１６Ｃについては「２４」、リール駆動回路１１６Ｒについては「０」になっている。
【０１６１】
　詳しくは後述するが、これらの初期値により、右リール４０Ｒについては、仮定速中の状態が終了すると次の割込信号ＩＲでリール加速処理が行われるときに定常回転速度への再加速が開始される。また、中リール４０Ｃについては、右リール４０Ｒの図柄位置に対して、リール回転方向とは反対の方向へ１図柄分ずれた状態で、定常回転速度で回転するように再加速が開始される。また、左リール４０Ｌについては、右リール４０Ｒの図柄位置に対してリール回転方向とは反対の方向へ３図柄分ずれた状態で、定常回転速度で回転するように再加速が開始される。すなわち、
各リールにおける再加速の開始タイミングをずらす
【０１６２】
　
ステップＳ３５０で、再加速カウンタに各々初期値がセットされると、ＣＰＵ１０６は、
リール加速処理を終了し、次の割り込みから再加速中の処理を行う。
・・・
【０１６６】
　以上に説明した
リール加速処理を、ＲＴ遊技へ移行した最初の遊技におけるリール４０Ｌ，４０Ｃ，４０Ｒの回転開始時に行う
ボーナス図柄が横一列に並んだ状態で各リールが仮定速（３９．９５［ｒｐｍ］）で回転し、その状態で所定時間が経過すると、定常回転速度に再加速する
　
　　　（ク）「【０１９０】
　また、
第２実施形態において、図２４のステップＳ３４４で、「仮定速中」に移行してから、所定時間が経過した（ＹＥＳ）と判断されると、ＣＰＵ１０６は、同図のステップＳ３５０で、各リールについて再加速を開始するタイミングを調整するため、
各再加速カウンタの値にセットする初期値を、予め定めた値ではなく、
各々乱数に基づく抽選を行って、当該抽選によって決定された任意の値をセットする
すべてのリールが定常回転速度に達したときの、各リール間の相対位置がランダムな位置関係となるので、遊技者が特定の図柄を狙ってストップスイッチを操作するという技術介入性に影響を与えにくくすることができる。
　
　・認定事項
　　　（ケ）認定事項ｈ、ｍ、ｍ１、ｍ２
　【００３９】の「ＣＰＵ１０６は、各種制御プログラムの処理を、クロック発生回路１１２から供給されるクロック信号ＣＬＫおよび割込信号ＩＲに従って行っている。」との記載、【０１１０】の「ＣＰＵ１０６は、・・・ＲＴ移行時加速パターンに従って、モータ駆動回路１１６Ｌ、１１６Ｃ、１１６Ｒへ駆動パルスを出力する・・・。この駆動パルスの出力に関する処理は、・・・クロック発生回路１１２から割込信号ＩＲが出力されるごとに実行する割込処理（図示省略）によって行われる。」との記載から、刊行物１には、ＣＰＵ１０６が、ＲＴ移行時加速パターンに従って、モータ駆動回路１１６Ｌ、１１６Ｃ、１１６Ｒへの駆動パルスの出力処理を割込信号ＩＲに従った割込処理によって行うことが記載されているといえる。
　
　そして、刊行物１の【０１４９】には「リール演出回転処理」に関し、「ＲＴ遊技へ移行後の最初の遊技において実行される」、「リール４０Ｌ，４０Ｃ，４０Ｒを用いた演出を行うための割込処理（以下、リール加速処理という）」と記載され、【０１５０】には「この加速処理は」、「クロック発生回路１１２から割込信号ＩＲが出力されるごとに、モータ駆動回路１１６Ｒ，１１６Ｃ，１１６Ｌの各々について個別に実行される」と記載されている。さらに、【０１５３】には「各モータ駆動回路に対する駆動パルスの出力処理の開始タイミングに時間差をつけることで、各リールにおけるボーナス図柄の位置を一致させるものである。」と記載され、【０１６６】には「リール加速処理を、ＲＴ遊技へ移行した最初の遊技におけるリール４０Ｌ，４０Ｃ，４０Ｒの回転開始時に行う・・・ボーナス図柄が横一列に並んだ状態で各リールが仮定速・・・で回転し、その状態で所定時間が経過すると、定常回転速度に再加速することになる。」と記載されている。
　
　したがって、刊行物１には、
ＲＴ遊技へ移行した最初の遊技におけるリールの回転開始時に、モータ駆動回路への駆動パルスの出力処理をＲＴ移行時加速パターンに従い、各モータ駆動回路に対する駆動パルスの出力処理の開始タイミングに時間差をつけることで、各リールにおけるボーナス図柄の位置を一致させ、ボーナス図柄が横一列に並んだ状態で各リールを仮定速で回転させ、その状態で所定時間が経過すると定常回転速度に再加速するリール演出回転処理を割込処理によって行うＣＰＵ１０６
　また、同様に、
ＲＴ移行時加速パターンに従って、ステッピングモータ８０Ｌ、８０Ｃ、８０Ｒのモータ駆動回路１１６Ｌ、１１６Ｃ、１１６Ｒへの駆動パルスの出力に関する処理を、クロック発生回路１１２から割込信号ＩＲが出力されるごとに実行する割込処理
　さらに、【００７０】には「ここで、図１２に加速パターンの一例を示す。・・・この図において、（ａ）は遊技を開始するためにリール４０Ｌ、４０Ｃ、４０Ｒを回転させるための通常加速パターンの内容を示しており、・・・」と記載され、【００７１】には「各駆動パルスの出力タイミングを指定する情報が、クロック発生回路１１２から割込信号ＩＲが出力された数によって表されている。例えば、（ａ）の通常加速パターンにおいて、・・・」と記載されている。
　したがって、刊行物１には、
遊技を開始するためにリール４０Ｌ、４０Ｃ、４０Ｒを回転させるための通常加速パターンに従って、各リールが定常回転速度に達するまで、ステッピングモータ８０Ｌ、８０Ｃ、８０Ｒのモータ駆動回路１１６Ｌ、１１６Ｃ、１１６Ｒへの駆動パルスの出力に関する処理を、クロック発生回路１１２から割込信号ＩＲが出力されるごとに実行する割込処理
　
　　　（コ）認定事項ｉ、ｊ
　【０１５９】には「リール駆動状態が「仮定速中」に移行してから、・・・所定時間が経過した場合は、・・・リール駆動状態を「再加速中」に更新し・・・再加速カウンタの値に各モータ駆動回路に対応する初期値を設定する（ステップＳ３５０）。」と記載され、【０１６１】には「各リールにおける再加速の開始タイミングをずらす」と記載され、【０１９０】には「「仮定速中」に移行してから、所定時間が経過した（ＹＥＳ）と判断されると、ＣＰＵ１０６は、同図のステップＳ３５０で、各リールについて再加速を開始するタイミングを調整するため、・・・各再加速カウンタの値にセットする初期値を、予め定めた値ではなく、・・・各々乱数に基づく抽選を行って、当該抽選によって決定された任意の値をセットする・・・すべてのリールが定常回転速度に達したときの、各リール間の相対位置がランダムな位置関係となる・・・」と記載されている。
　
　したがって、刊行物１には、
各リールについて、リール駆動状態が「仮定速中」に移行してから所定時間が経過した場合は、リール駆動状態を「再加速中」に更新し、再加速カウンタに設定される各モータ駆動回路に対応する初期値を、予め定めた値ではなく、各々乱数に基づく抽選によって決定された値とすることにより、各リールにおける再加速の開始タイミングをずらし、すべてのリールが定常回転速度に達したときの各リール間の相対位置がランダムな位置関係となるようにするＣＰＵ１０６
　
　　　（サ）認定事項ｍ３
　【０１４９】には「ＲＴ遊技へ移行後の最初の遊技において実行される、・・・リール４０Ｌ，４０Ｃ，４０Ｒを用いた演出を行うための割込処理（以下、リール加速処理という）・・・」と記載され、【０１５７】には「全てのモータ駆動回路に対するリール加速処理において、図１２（ｂ）に示した加速パターンに従って駆動パルスを出力し終えていた場合（ＹＥＳ）は、ＣＰＵ１０６は、・・・リール加速処理を終了する。」と記載され、【０１５８】には「ＣＰＵ１０６は、・・・リール加速処理を終了して他の割込処理を実行する。」と記載されている。
　したがって、刊行物１には、
ＲＴ移行時加速パターンを用いたリール加速処理を終了して他の割込処理が実行される
　
　・刊行物発明
　上記（ア）〜（ク）の記載事項、上記（ケ）〜（サ）の認定事項から、刊行物１には、次の発明（以下「刊行物発明」という。）が記載されていると認められる（ａ〜ｎは、本件補正発明のＡ〜Ｏのうち、Ａ〜Ｎに対応させて付与した。）。
　
「ａ　外周面に２１個の図柄が等間隔で印刷された帯状のリールテープが貼り付けられ、回転自在に設けられている３個のリール４０Ｌ，４０Ｃ及び４０Ｒを備え（【００２５】）、
ｂ　複数のリールが全て停止したときに入賞ラインに沿って停止表示された図柄組合せが、予め定められた複数の役のうちのいずれかに対応していた場合、該対応する役が成立するスロットマシンであって（【請求項１】）、
ｃ　役抽選処理によって、予め定められた役のうち、いずれか１つまたは複数の役に当選したか否かを定める主制御回路１００の役抽選手段４１０と（【００５５】）、
ｄ　外部からの操作に応じて、複数のリールの回転停止を指示する回転停止指示手段と（【請求項１】）、
ｅ、ｇ　複数のリールが回転を開始してから所定の定常回転速度に達するまでの間、回転停止指示手段からの指示を無効化する回転指示無効化手段と（【請求項１】）、
ｆ　予め定められた制約の範囲内で、役抽選の結果に則した図柄組合せが有効ラインに沿って停止表示される制御を行うリール停止制御手段４２４【００７５】と、
ｈ　ＲＴ遊技へ移行した最初の遊技におけるリールの回転開始時に、モータ駆動回路への駆動パルスの出力処理をＲＴ移行時加速パターンに従い、各モータ駆動回路に対する駆動パルスの出力処理の開始タイミングに時間差をつけることで各リールにおけるボーナス図柄の位置を一致させ、ボーナス図柄が横一列に並んだ状態で各リールを仮定速で回転させると共に、その状態で所定時間が経過すると定常回転速度に再加速するリール演出回転処理を割込処理によって行うＣＰＵ１０６（認定事項ｈ）を備え、
ｉ、ｊ　ＣＰＵ１０６は、
　　　各リールについて、リール駆動状態が「仮定速中」に移行してから所定時間が経過した場合は、リール駆動状態を「再加速中」に更新し、再加速カウンタに設定される各モータ駆動回路に対応する初期値を、予め定めた値ではなく、各々乱数に基づく抽選によって決定された値とすることにより、各リールにおける再加速の開始タイミングをずらし、すべてのリールが定常回転速度に達したときの各リール間の相対位置がランダムな位置関係となるようにし（認定事項ｉ、ｊ）、
ｋ　　クロック発生回路１１２から割込信号ＩＲが出力されるごとに実行する割込処理によって各種制御プログラムの処理を行い（【００３９】、【０１１０】）、
ｌ　駆動によりリール４０Ｌ、４０Ｃ、４０Ｒを回転させるステッピングモータ８０Ｌ、８０Ｃ、８０Ｒ（【００６９】）と、
ｍ　割込処理は、
ｍ１　遊技を開始するためにリール４０Ｌ、４０Ｃ、４０Ｒを回転させるための通常加速パターンに従って、各リールが定常回転速度に達するまで、ステッピングモータ８０Ｌ、８０Ｃ、８０Ｒのモータ駆動回路１１６Ｌ、１１６Ｃ、１１６Ｒへの駆動パルスの出力に関する処理を、クロック発生回路１１２から割込信号ＩＲが出力されるごとに実行する割込処理（認定事項ｍ１）と、
ｍ２　ＲＴ移行時加速パターンに従って、ステッピングモータ８０Ｌ、８０Ｃ、８０Ｒのモータ駆動回路１１６Ｌ、１１６Ｃ、１１６Ｒへの駆動パルスの出力に関する処理を、クロック発生回路１１２から割込信号ＩＲが出力されるごとに実行する割込処理（認定事項ｍ２）と、
ｍ３、ｎ　ＲＴ移行時加速パターンを用いたリール加速処理を終了して実行される他の割込処理（認定事項ｍ３）とを含む
　スロットマシン（【０００１】）。」
　
　　　イ　刊行物２
　前置報告書において新たに提示された、本願の出願前に頒布された刊行物である特開２０１２−９５９６６号公報（以下「刊行物２」という。）には、図面と共に次の事項が記載されている。
　
　・記載事項 
　・記載事項
　　　（ア）「【請求項１】
　周囲に複数の図柄が付された複数個の回転リールと、
　回転リールの回転を開始させるためのスタートスイッチと、
　
回転リールの回転を停止させるためのストップスイッチと
　回転リールの図柄の停止表示の態様により構成される当選役を抽選により決定するための役抽選手段とを備え、
　スタートスイッチの操作により回転リールの回転を開始させるとともに、役抽選手段により複数の役のいずれかに当選か又はハズレかの抽選を行い、その抽選の結果及びストップスイッチの操作に基づいて回転リールの回転を停止させ、当選した役に係る図柄の組み合わせが表示窓の所定位置に揃ったか否かの判定を行い、その判定の結果に応じて所定の利益を遊技者に付与する又は付与しないことで１回の遊技が終了する遊技機であって、
・・・」
　
　　　（イ）「【技術分野】
【０００１】
　この発明は、
回転リールによる回胴演出が可能な遊技機に関する。
・・・
【発明が解決しようとする課題】
【０００５】
　しかし、上記した回転中に所定の図柄を揃えてしまう回胴演出は、当該所定の図柄を揃えることができるかもしれないという期待感の高揚はあるものの、所定図柄が並列した状態で回転するため、そのままでは、いわゆる目押しの補助となってしまうという問題点があった。所定図柄が並列した状態で回転することにより、通常の目押しに比べて、回転中の図柄の認識を著しく容易にしてしまい、そうでない場合と比較してあまりにも不公平になってしまうものである。そして、熟練した遊技者によっては、そのような目押し補助となるようなものは、面白みが半減してしまう者もいた。
　そこで、本発明は、上記した従来の技術の有する問題点に鑑みてなされたものであり、その目的とするところは、
回胴演出後、目押しの補助とならないようにして、遊技の興趣を向上させようとする
　
　　　（ウ）「【００１６】
　また、前扉14の上部には、上パネル12aを備え、前扉14の下部には、下パネル12bを備え、前扉14の前面における、上パネル12aと下パネル12bとの間には、前方へ向けて突出する操作部12cを備えている。
　前記上扉3には、遊技者側に向かって臨む略四角窓状の上パネル12aが形成されている。そして、この上パネル12aの略中央には、
三個の回転リール40の円周に貼付したリールテープ42上の図柄61
回転リール40の回転
・・・
【００２０】
　そして、下扉4の下部には、所定の役の図柄が有効ライン上に表示された場合に、貯留払い出し手段65からメダルが払い出される払い出し口32が形成され、この払い出し口32の下方には、払い出し口32から払い出されたメダルを貯留するため、上方に向かって開口する皿状の払い出し皿33が形成されている。
　本実施の形態に係る遊技機10は、原則として、ベットスイッチ16操作又はメダル投入後のスタートスイッチ30の押下により、回転リール40の回転を開始すると共に、役抽選を行い、
各回転リール40のストップスイッチ50の押下タイミング及び役抽選の結果に基づいて、回転リール40の回転を役抽選の結果に適合するように停止させ、停止時の図柄の組み合わせによって、当選した役の所定図柄が有効ライン上に停止表示された場合に、所定枚数のメダルを払い出す等の所定の特典（利益）を遊技者に付与するスロットマシン
・・・
【００２２】
　
回転リール40は、２１個の図柄を周囲に均等に配列した筒状のものである。そして、各回転リール40は、合成樹脂からなる回転ドラムと、この回転ドラムの周囲に貼付されるとともに、複数個（２１個）の図柄61が表示されているテープ状のリールテープ42とを備えている
　前記回転位置検知装置46は、回転リール40の回転ドラムから横方向に突出している突出片状のインデックス47と、回転リール40の周囲の支持部材49から突出するとともにインデックス47の通過を光センサーの遮断によって検知するためのインデックスセンサ48とを備えている。」
　
　　　（エ）「【００２９】
　そして、前記通常遊技制御手段70は、通常遊技を行わせるために通常遊技に関する制御を行うものであり、前記特別遊技制御手段80は、特別遊技を行わせるために特別遊技に関する制御を行う。
　（通常遊技制御手段70）
　
通常遊技制御手段70は
　以下、遊技機10における通常遊技について説明する。１回の遊技につき、遊技媒体としてのメダルを３枚ベットすることが可能である。３枚のメダルをベットすると、５本全てのラインが有効になる。なお、３枚投入だけしか有効にならない３枚専用機とすることもできる。そして、有効になったラインを、以下、「有効ライン」と称する。また、メダルのベットには、メダル投入口18からメダルを投入することによるベットと、ベットスイッチ16を操作することによるクレジットされているメダルのベットとがある。また、再遊技のときには、前回の遊技でベットした枚数と同数のメダルが自動的にベットされる。また、３枚のメダルのベットを条件に、遊技を開始することが可能となり、スタートスイッチ30を操作すると、複数の役のいずれかに当選か又はハズレかの役抽選が行われるとともに、３個すべての回転リール40の回転が開始する。その後、
３個すべての回転リール40の回転が所定の定常回転速度になって定常回転するようになると、３個すべてのストップスイッチ50が有効になり、ストップスイッチ50の操作が有効になる
　
　　　（オ）「【００４１】
　（回転中図柄位置抽選手段184）
　回転中図柄位置抽選手段184は、一部又は全部の回転中の複数の回転リール40同士の図柄61の位置を抽選により決定するためのものである。具体的には、回転中図柄位置抽選手段184は、回転中の３個の回転リール40同士の図柄の相対的な位置関係を抽選により決定する。
　具体的には、回転中図柄位置抽選手段184は、基準となる左リール43の特定図柄61aとしての図柄「赤７」に対して、中リール44及び右リール45の図柄「赤７」を何コマずらすかを抽選により決定するものである。左リール43の図柄「赤７」の横に中リール44又は右リール45の図柄「赤７」が位置しているときのずれは０コマとなり、その位置から中リール44又は右リール45の図柄「赤７」が回転下流側に１コマずれた場合のずれは１コマとなる。通常、
全周で０コマから２０コマのずれが発生し得ることになるが
回転中図柄位置抽選手段184は、この０コマから２０コマの２１個の数値のうち、０コマを除く、１コマから２０コマまでの２０個のうちから１つの数値を、中リール44について抽選で決定する
　
　　　（カ）「【００４８】
　また、本実施の形態では、
回転リール40を所定の定常回転速度で回転させるための移行処理
が終了してから、ストップスイッチ50の操作が有効となるように形成されている
　（ウェイト制御手段190）
　ウェイト制御手段190は、１回の遊技における遊技時間が、予め定められた所定時間（以下、「ウェイト時間」と称す。）以下とならないように制御するものである。本実施の形態では、ウェイト時間は、４．１秒に設定されている。また、本実施の形態では、ウェイト制御手段190は、計時手段150によりウェイト時間を計時している。具体的には、ウェイト制御手段190は、一の遊技において、回転制御手段250により回転リール40の回転が開始されたことを契機に、計時手段150に計時を開始させる。そして、次の遊技において、回転制御手段250により回転リール40の回転が開始されたことを契機に、計時手段150による計時をリセットして再度計時を開始させる。そして、それ以降の遊技においても同様に、毎遊技、回転制御手段250により回転リール40の回転が開始されたことを契機に、計時手段150による計時をリセットして再度計時を開始させる。」
　
　　　（キ）「【００５１】
　（停止制御手段130）
　
停止制御手段130は、役抽選手段110の抽選の結果と、各ストップスイッチ50が操作された際における対応する回転リール40の回転位置とに基づいて、各回転リール40の回転を停止させるものである
　具体的には、停止制御手段130は、各ストップスイッチ50が操作された際における対応する回転リール40の回転位置を、対応するインデックスが検知されてから対応するストップスイッチ50が操作されるまでの間における対応するステッピングモータのステップ数で特定しつつ、ストップスイッチ50が操作された時点で、有効ライン上に直ちに停止できる図柄（すなわち、回転リール40の回転位置）を基準として、この図柄から回転方向に予め定められた個数（最大スベリコマ数、例えば４コマ）移動した図柄までの範囲内で、対応する回転リール40を停止させるように形成されている。」
　
　　　（ク）「【００５４】・・・
　（停止図柄判定手段140）
　停止図柄判定手段140は、すべての回転リール40の回転が停止した際に、いずれかの役に対応する図柄の組み合わせがいずれかの有効ライン上に停止表示されているか否かを判定し、この判定結果に基づいた制御を行うものである。すなわち、所定の役を構成する図柄の組み合わせが停止表示された場合に、この停止表示された役に応じた信号を出力するように形成されている。
【００５５】
　具体的には、停止図柄判定手段140は、各制御手段に信号を出力する。そして、例えば、小役に係る信号が入力された遊技制御手段27は、貯留払い出し手段65を作動させて所定枚数のメダルを払い出すように制御する。また、例えば、再遊技役に係る信号が入力された遊技制御手段27は、再度の遊技の制御を行う。また、例えば、ボーナス役に係る信号が入力された特別遊技制御手段80は、特別遊技を開始する。より具体的には、例えば、ＢＢ役に係る信号が入力された特別遊技制御手段80は、ＢＢゲームを開始する。
　（計時手段150）
　
計時手段150は、所定時間を計時するための
タイマー機構を備えているものである
　
　　　（ケ）「【００５８】
　また、本実施の形態では、停止演出制御手段300は、回胴演出抽選手段120の抽選の結果に基づいて、回胴演出データ記憶手段210から入手した回胴演出データによって、回胴演出を実行するように形成されている。
　
停止演出制御手段300は、
所定の配置態様を維持した複数の回転リール40を同一回転速度で回転させ、その後、そのままの状態で停止させる回胴演出
を行う
・・・
【００６２】
　これにより、停止演出制御手段300は、時刻Ｔ３からＴ４までの途中で時間ｔだけ、３個の回転リール40の図柄「赤７」を横並びに並列させた状態で、回転を停止させる回胴演出としての停止演出を実施することができる。
　停止演出制御手段300は、回転位置判断手段161からの回転リール40の回転位置データ及び回胴演出データ記憶手段210に記憶させている回転速度及び維持時間等のデータに基づき、内部の演算手段により時間等を算出しているものである。そして、この演算算出は、回転位置判断手段161からの最新の回転位置データの更新により、その都度、演算結果の修正を行いながら実行しているものである。すなわち、停止演出制御手段300は、回転リール40を制御するのに回転位置及び回転速度から算出される所定の時間等の時間経過情報と、回転位置判断手段161から入ってくる回転リール40の回転位置情報との両方で、回転リール40を制御しているものである。なお、停止演出制御手段300は、これに限定されることなく、所定の時間経過情報を主として回転リール40を制御してもよく、また、回転位置情報を主として回転リール40を制御してもよい。
【００６３】
　例えば、現在の図柄位置情報だけを判定して、その判定結果が所定の図柄位置になるまで、所定の回転速度を継続するように制御し、所定の図柄位置となったときに回転速度を変更等するように形成してもよい。
　また、例えば、
停止演出制御手段300は、回胴演出開始時に、各回転リール40について
計時手段150のタイマー手段が、タイムアップしたら、速度調整処理等を行うように、主に時間経過を判定するだけで制御するように形成してもよい
　また、停止演出制御手段300は、上述したように、採取した各種データに基づいて内部の演算手段により回転リール40の回転を制御しているが、特にこのようなものに限定されるものではなく、最初の停止位置データから、予め全ての位置データ及びその位置データから算出される回転速度及びその維持時間等を記録したデータテーブルを、回胴演出データ記憶手段210に設けておき、当初の停止位置データ及び予め記憶したデータに基づいて、回転リール40を制御するようにしてもよい。」
　
　　　（コ）「【００６５】
　・・・
　（再回転制御手段310）
　
再回転制御手段310は、
停止演出（回胴演出）後、
回転リール40を再回転させる
　
　　　（サ）「【００７４】
・・・なお、
再回転制御手段310は、停止演出制御手段300と同様に、
所定の時間経過情報を主として回転リール40を制御してもよく
【００７５】
　なお、再回転制御手段310は、上述したように、採取した各種データに基づいて内部の演算手段により回転リール40の回転を制御しているが、特にこのようなものに限定されるものではなく、
予め全ての位置データ及びその位置データから算出される回転速度及びその維持時間等を記録したデータテーブルを、回胴演出データ記憶手段210に設けておき、上当初の停止位置データ及び予め記憶したデータに基づいて、回転リール40を制御するようにしてもよい。
　
　　　（シ）「【００８５】
　ステップ１５１において、回胴演出に当選しているか否かが判定される。そして、回胴演出に当選していると判定された場合、次のステップ１５２に進む。
　ステップ１５２において、
回転中図柄位置抽選手段184により、基準となる左リール43の図柄「赤７」に対して、中リール44の図柄「赤７」が何コマ（ｎコマ）離れているかのコマ数ｎを１〜２０の整数から抽選により決定する処理が行われる
　ステップ１５３において、回転中図柄位置抽選手段184により、基準となる左リール43の図柄「赤７」に対して、右リール45の図柄「赤７」が何コマ（ｍコマ）離れているかのコマ数ｍを１〜２０の整数のうち、ステップ１５２で決定した数値を除外したものから抽選により決定する処理が行われる。そして、次のステップ１５４に進む。なお、ｎ＝ｍとなる数値を予め除外して抽選をしているが、抽選方法は同様の効果を有するものであればこれに限定されることなく、例えばｎ＝ｍとなった場合には、ｎ＝ｍとならないものになるまで抽選処理を繰り返すようなものでもよい。」
　
　　　（ス）「【００９８】
　（回胴演出における回転態様（３））
・・・
【００９９】
　このように、回転リール40の回転開始タイミングをずらすことにより、回転リール40の回転加速度及び回転速度は、３個の回転リール40で全て同一に設定することができる。これにより、
回転リール40の回転制御プログラミングの製作において、変動させるパラメータを時間だけに設定して、回転加速度及び回転速度は、全て共通にすることができ
　なお、かかる場合には、前回の遊技において、回転リール40の停止位置を記憶し、その記憶を今回の遊技まで維持する必要があるため、その記憶手段を有しているものである。
・・・」
　
　　　（セ）「【０１０６】
　（再配置における回転態様（４））
　また、
図２２に示すように、
時間Ｆだけ、その停止状態が続き、時刻Ｒ６において、基準となる実線で示される左リール43が回転を開始し、回転速度Ｖ１まで回転速度を増加させる
中リール44も左リール43に時間Ｇだけ遅れて時刻Ｒ７で左リール43と同一回転加速度で回転を開始し、回転速度Ｖ１まで速度を増加させる
　
　　　（ソ）「【０１２２】
　ここで、再配置制御手段による所定の配置態様を崩す手法、すなわち、図柄「赤７」が揃った状態から、その揃った状態を崩す手法としては、図２４のフローに示すように、３個の回転リール40の回転速度を別々の回転速度で行うことができる。そして、その後は、上述した第１の実施の形態で説明した所定コマ数だけ離す離間再配置により所定の配置態様の再配置を行うことができる。
　具体的な遊技の流れは、第１の実施の形態のステップ１２０の回胴演出処理及び再配置処理が、図１３のフローの代わりに図２４に示すようなフローとなるものである。
　また、上述した第１〜第４の実施の形態で、
再回転制御手段310
は
図柄「赤７」の
ランダム再配置
を、１つの回転リールだけで実施するようにしてもよい。具体的には、残りの２つの回転リール40は、揃った状態のままである
　
　・認定事項
　　　（タ）認定１
　【００１６】の「・・・三個の回転リール40の円周に貼付したリールテープ42上の図柄61、・・・
回転リール40の回転
複数個（２１個）の図柄61が均等に配列されているテープ状のリールテープ42が周囲に貼付され、回転可能な回転リール40を三個備える
　
　　　（チ）認定２
　【００６５】の「再回転制御手段310は、停止演出（回胴演出）後、・・・回転リール40を再回転させる・・・」との記載から、刊行物１には、再回転制御手段310は、停止演出（回胴演出）後、回転リール40を再回転させる制御を行うことが記載されている。
　そして、【００７４】の「・・・再回転制御手段310は、停止演出制御手段300と同様に、・・・所定の時間経過情報を主として回転リール40を制御してもよく、・・・」との記載、及び、【００６３】の「停止演出制御手段300は、回胴演出開始時に、各回転リール40について、・・・計時手段150のタイマー手段が、タイムアップしたら、速度調整処理等を行うように、主に時間経過を判定するだけで制御するように形成してもよい。」との記載から、刊行物１には、再回転制御手段310は、各回転リール40について、所定の回転速度で所定の時間、回転させることをセットし、計時手段150のタイマー手段が、タイムアップしたら、速度調整処理等を行う、主に時間経過を判定するだけで制御することが記載されている。
　また、【００９９】には、回胴演出における回転態様（３）に関してではあるが、「回転リール40の回転制御プログラミングの製作において、変動させるパラメータを時間だけに設定して、回転加速度及び回転速度は、全て共通にすることができ」ることが記載されている。
　また、【０１０６】には、「・・・図２２に示すように、・・・時間Ｆだけ、その停止状態が続き、時刻Ｒ６において、・・・左リール43が回転を開始し、回転速度Ｖ１まで回転速度を増加させる。・・・中リール44も左リール43に時間Ｇだけ遅れて時刻Ｒ７で左リール43と同一回転加速度で回転を開始し、回転速度Ｖ１まで速度を増加させる。」ことが記載されている。
　さらに、【図２２】には、左リール43が回転を開始した後、時間Ｇ経過後、中リール44が回転を開始することが図示されている。
　
　これらの記載事項及び認定事項からみて、刊行物２には、
　「再回転制御手段310は、各回転リール40の回転加速度及び回転速度を全て共通にし、時間をパラメータにしてリールの回転を制御するものであって、
　停止演出（回胴演出）後、計時手段150のタイマー手段がタイムアップすると（時間Ｆ経過後）、左リール43の回転を開始し、回転速度Ｖ１まで回転速度を増加させ、
　左リール43が回転を開始した後、計時手段150のタイマー手段がタイムアップすると（時間Ｇ経過後）、左リール43と同一回転加速度で中リール44の回転を開始し、回転速度Ｖ１まで速度を増加させる
　速度調整処理を行う」ことが示されているものと認められる。
　
　　　（ツ）認定３
　【００８５】の「・・・全周で０コマから２０コマのずれが発生し得ることになるが、回転中図柄位置抽選手段184により、基準となる左リール43の図柄「赤７」に対して、中リール44の図柄「赤７」が何コマ（ｎコマ）離れているかのコマ数ｎを１〜２０の整数から抽選により決定する処理が行われる。・・・」との記載、及び、【００４１】の「・・・回転中図柄位置抽選手段184は、この０コマから２０コマの２１個の数値のうち、０コマを除く、１コマから２０コマまでの２０個のうちから１つの数値を、中リール44について抽選で決定する。・・・」との記載から、刊行物１には、回転中図柄位置抽選手段184が、基準となる左リール43の図柄「赤７」に対して、中リール44の図柄「赤７」が何コマ（ｎコマ）離れているかのコマ数ｎを、０コマから２０コマの２１個の数値のうち、０コマを除く、１コマから２０コマまでの２０個のうちから１つ抽選により決定する処理が行われることが記載されている。
　そして、【図２２】には、例えば、揃っていた２個のリールの特定図柄が、速度Ｖ１を時間Ｇだけ維持することにより所定コマ数だけ離れること、すなわち、回転中図柄位置抽選手段184により抽選で決定されたコマ数ｎ分離間することによる回転リール40周面における距離が、時間Ｇに回転速度Ｖ１を乗算することにより求められることが図示されている。これは、時間Ｇが、「コマ数ｎ分だけ離間することによる回転リール40周面における距離」を「回転速度Ｖ１」で除算して求められることを意味するものである。
　また、【００７５】の「・・・予め全ての位置データ及びその位置データから算出される回転速度及びその維持時間等を記録したデータテーブルを、回胴演出データ記憶手段210に設けておき、上当初の停止位置データ及び予め記憶したデータに基づいて、回転リール40を制御するようにしてもよい。・・・」との記載から、刊行物１には、「維持時間」を予め求めておくことが示されているといえる。
　
　したがって、刊行物２には、再回転制御手段310は、回転中図柄位置抽選手段184により抽選で決定された、全周に相当する０コマから２０コマの２１個の数値のうち、０コマを除く、１コマから２０コマまでの２０個のうちから１つの数値ｎを用いて、時間Ｇを予め求めておくことが示されているといえる。
　
　・刊行物２に記載された技術事項
　上記（ア）〜（ソ）の記載事項、上記（タ）〜（ツ）の認定事項から、刊行物２には、次の技術事項（以下「刊行物２に記載された技術事項」という。）が記載されていると認められる。 
　
「複数個（２１個）の図柄61が均等に配列されているテープ状のリールテープ42が周囲に貼付され、回転可能な回転リール40を三個備え（認定１）、　各回転リール40のストップスイッチ50の押下タイミング及び役抽選の結果に基づいて図柄を停止表示し、停止時の図柄の組み合わせによって、所定枚数のメダルを払い出す等の所定の特典（利益）を遊技者に付与するスロットマシンにおいて（【００２０】）、
　回転リールの回転を停止させるためのストップスイッチ（【請求項１】）と、
　回転リール40の回転が所定の定常回転速度になって定常回転するようになると、ストップスイッチ50の操作を有効とする通常遊技制御手段70（【００２９】、【００４８】）と、
　各回転リール40のストップスイッチ50の押下タイミング及び役抽選の結果に基づいて、回転リール40の回転を役抽選の結果に適合するように所定の図柄の組み合わせで停止させる停止演出制御手段300 （【００２０】、【００５１】）とを備え、
　停止演出制御手段300 は、所定の配置態様を維持した複数の回転リール40を同一回転速度で回転させ、その後、そのままの状態で停止させる回胴演出を行い（【００５８】）、
　各回転リール40の回転加速度及び回転速度を全て共通にし、時間をパラメータにしてリールの回転を制御するものであって、
　停止演出（回胴演出）後、計時手段150のタイマー手段がタイムアップすると（時間Ｆ経過後）、左リール43の回転を開始し、回転速度Ｖ１まで回転速度を増加させ、
　左リール43が回転を開始した後、計時手段150のタイマー手段がタイムアップすると（時間Ｇ経過後）、左リール43と同一回転加速度で中リール44の回転を開始し、回転速度Ｖ１まで速度を増加させる
　速度調整処理を行う再回転制御手段310（認定２）を備え、 
　再回転制御手段310は、回転中図柄位置抽選手段184により抽選で決定された、全周に相当する０コマから２０コマの２１個の数値のうち、０コマを除く、１コマから２０コマまでの２０個のうちから１つの数値ｎを用いて、時間Ｇを予め求め（認定３）、
　所定時間を計時するためのタイマー機構を有する計時手段150（【００５５】）を備えたスロットマシン。」 
　
　（２）対比
　本件補正発明と刊行物発明とを、分説に従い対比する。
　　（ａ）刊行物発明における
　「外周面に」「貼り付けられ」た「２１個の図柄」、
　「等間隔で印刷された帯状のリールテープ」、
　「回転自在に設けられている」ことは、それぞれ、
　本件補正発明における
　「各々が識別可能な複数種類の識別情報」、
　「所定の順番で配置された表示帯」、
　「移動させることで変動表示可能な」ことに相当する。
　したがって、刊行物発明における構成ａの「３個のリール４０Ｌ，４０Ｃ及び４０Ｒ」は、本件補正発明における構成Ａの「複数」の「可変表示部」に相当する。
　
　　（ｂ）刊行物発明における構成ｂの
　「複数のリールが全て停止したときに入賞ラインに沿って」「図柄組合せ」を「停止表示」させること、
　「図柄組合せが、予め定められた複数の役のうちのいずれかに対応していた場合、該対応する役が成立する」ことは、それぞれ、
　本件補正発明における構成Ｂの
　「可変表示部の変動表示を停止することで表示結果を導出」すること、
　「複数の可変表示部の表示結果の組合せに応じて入賞が発生可能な」ことに相当する。
　したがって、刊行物発明における構成ｂの「スロットマシン」は、本件補正発明における構成Ｂの「スロットマシン」に相当する。
　
　　（ｃ）刊行物発明における「予め定められた役のうち、いずれか１つまたは複数の役に当選したか否かを定める」ことは、本件補正発明における「入賞について発生を許容するか否かを決定する」ことに相当する。
　また、刊行物発明における「予め定められた役のうち、いずれか１つまたは複数の役に当選したか否かを定める」ことは、「役に当選したか否か」に結果、及び、停止操作に基づいて表示結果が導出されることから、本件補正発明における「表示結果が導出される前に」決定されることに相当する。
　したがって、刊行物発明における構成ｃの「主制御回路１００の役抽選手段４１０」は、本件補正発明における構成Ｃの「事前決定手段」に相当する。
　
　　（ｄ）刊行物発明における「外部からの操作」は、本件補正発明における「遊技者」による「操作」に相当する。
　そして、刊行物発明における「複数のリールの回転停止を指示する」ことは、「複数のリールの回転停止」の「指示」により、構成ｂの「図柄組合せ」が「停止表示され」ることになるから、本件補正発明における「表示結果を導出させる」ことに相当する。
　したがって、刊行物発明における構成ｄの「回転停止指示手段」は、本件補正発明における構成Ｄの「導出操作手段」に相当する。
　
　　（ｅ）刊行物発明における「所定の定常回転速度」は、本件補正発明における「規定速度」に相当する。
　そして、刊行物発明における「複数のリールが回転を開始してから所定の定常回転速度に達するまでの間、回転停止指示手段からの指示を無効化する」ことは、「複数のリールが回転を開始してから所定の定常回転速度に達」した後に回転停止指示手段からの指示が有効化されることであるから、本件補正発明における「可変表示部の変動速度が規定速度となったときに導出操作手段の操作を有効化する」ことに相当する。
　したがって、刊行物発明における構成ｅの「回転指示無効化手段」は、本件補正発明における構成Ｅの「導出操作有効化手段」に相当する。
　
　　（ｆ）刊行物発明ににおいて、「図柄組合せ」が「停止表示」されるのは、構成ｄによると、「外部からの操作に応じ」たものであるから、刊行物発明における「予め定められた制約の範囲内で、役抽選の結果に則した図柄組合せを有効ラインに沿って停止表示させる制御を行う」ことは、本件補正発明における「導出操作手段が操作されたときに表示結果を導出する制御を行う」ことに相当する。
　したがって、刊行物発明における構成ｆの「リール停止制御手段４２４」は、本件補正発明における構成Ｆの「導出制御手段」に相当する。
　
　　（ｇ）刊行物発明における構成ｇの「回転指示無効化手段」は、上記（ｅ）より、「複数のリールが回転を開始してから所定の定常回転速度に達する」と「回転停止指示手段からの指示」が有効化されることであり、「複数のリールが回転を開始してから所定の定常回転速度に達する」までの期間に、構成ｈの「リール演出回転処理」が実行される場合、「リール演出回転処理」が実行されない場合に比して、少なくとも、「回転停止指示」の有効化が遅延されることになる。
　したがって、刊行物発明における構成ｇの「回転指示無効化手段」は、本件補正発明における構成Ｇの「導出操作有効化手段による導出操作手段の操作の有効化を遅延させることが可能な有効化遅延手段」にも相当する。
　
　　（ｈ）刊行物発明における構成ｈの「各リールにおけるボーナス図柄の位置を一致させ、ボーナス図柄が横一列に並んだ状態」は、本件補正発明における「複数の可変表示部を構成する表示帯同士の相対的な位置関係が特定位置関係となる」ことに相当することから、刊行物発明における構成ｈの「各リールにおけるボーナス図柄の位置を一致させ、ボーナス図柄が横一列に並んだ状態で各リールを仮定速で回転させ」ることは、本件補正発明における「複数の可変表示部を構成する表示帯同士の相対的な位置関係が特定位置関係となるように複数の可変表示部の変動制御を行う特殊変動制御を行う」ことに相当する。
　そして、刊行物発明における構成ｈの「仮定速」は、「定常回転速度に再加速」される前の速度であるから、「各リール」が「仮定速で回転」する期間は、構成ｇより「回転停止指示手段からの指示」が「無効化」され、有効化される前の期間であるといえる。
　したがって、刊行物発明における構成ｈの「リール演出回転処理を割込処理によって行うＣＰＵ１０６」は、本件補正発明における構成Ｈの「特殊変動制御手段」としての機能を有する。
　
　　（ｉ）刊行物発明における「各リールについて、リール駆動状態が「仮定速中」に移行してから所定時間が経過した場合」は、リール駆動状態が「再加速中」に更新されることから、本件補正発明における「特殊変動制御手段が前記特殊変動制御を行った後」に相当する。
　そして、刊行物発明における「初期値を、予め定めた値ではなく、各々乱数に基づく抽選によって決定された値とする」ことは、本件補正発明における「所定値をランダムに決定する」ことに相当する。
　したがって、刊行物発明における「ＣＰＵ１０６」は、本件補正発明における「所定値決定手段」の機能を有するものである。
　
　　（ｊ）上記（ｉ）より、刊行物発明における「各リールについて、リール駆動状態が「仮定速中」に移行してから所定時間が経過した場合」は、本件補正発明における「特殊変動制御手段により特殊変動制御が行われた後」に相当する。
　そして、刊行物発明における「再加速カウンタに設定される各モータ駆動回路に対応する初期値を、予め定めた値ではなく、各々乱数に基づく抽選によって決定された値とすることにより、各リールにおける再加速の開始タイミングをずら」すことは、１つのリールの再加速を開始させた後に、次のリールの再加速を開始するタイミングを乱数抽選に基づくランダムな時間だけ経過したときとするものであるから、本件補正発明における「一の可変表示部の変動を開始させ、該一の可変表示部の変動開始後、所定値決定手段によりランダムに決定された所定値に基づく時間が経過した後、他の可変表示部の変動を開始させる」に相当する。
　また、刊行物発明における「すべてのリールが定常回転速度に達したときの各リール間の相対位置がランダムな位置関係となるように」することは、
「ボーナス図柄が横一列に並んだ状態」から各リール間の位置関係を変化させることであるから、本件補正発明における「複数の可変表示部を構成する表示帯同士の相対的な位置関係を変化させる」ことに相当する。
　したがって、刊行物発明における構成ｊは、本件補正発明における構成Ｊに相当する。
　
　　（ｋ）刊行物発明における「クロック発生回路１１２から割込信号ＩＲが出力されるごとに実行する割込処理」は、本件補正発明における「定期的に」「実行」される「タイマ割込み処理」に相当する。
　そして、刊行物発明における「各種制御プログラムの処理を行」うことは、「「各種制御プログラム」により各種遊技状態が制御されるものであるから。本件補正発明における「遊技状態を制御する」ことに相当する。
　したがって、刊行物発明における構成ｋの「ＣＰＵ１０６」は、本件補正発明における構成Ｋの「遊技制御手段」としての機能を有する。
　
　　（ｌ）刊行物発明における構成ｌの「駆動によりリール４０Ｌ、４０Ｃ、４０Ｒを回転させるステッピングモータ８０Ｌ、８０Ｃ、８０Ｒ」は、本件補正発明における構成Ｌの「可変表示部を変動表示させるためのステッピングモータ」に相当する。
　
　　（ｍ、ｍ１）まず、刊行物発明における構成ｍの「割込処理」は、本件補正発明における構成Ｍの「タイマ割込み処理」に相当する。
　次に、刊行物発明における構成ｍ１と、本件補正発明における構成Ｍ１とを対比する。
　同構成ｍ１の「各リールが定常回転速度に達する」ことは、同構成Ｍ１の「複数の可変表示部の変動速度が規定の速度である定常状態となる」ことに相当する。
　そして、同構成ｍ１の「ステッピングモータ８０Ｌ、８０Ｃ、８０Ｒのモータ駆動回路１１６Ｌ、１１６Ｃ、１１６Ｒへの駆動パルスの出力に関する処理」は、同構成Ｍ１の「ステッピングモータを駆動制御する」ことに相当する。
　したがって、刊行物発明における構成ｍ１の「遊技を開始するためにリール４０Ｌ、４０Ｃ、４０Ｒを回転させるための通常加速パターンに従って、各リールが定常回転速度に達するまで、ステッピングモータ８０Ｌ、８０Ｃ、８０Ｒのモータ駆動回路１１６Ｌ、１１６Ｃ、１１６Ｒへの駆動パルスの出力に関する処理を、クロック発生回路１１２から割込信号ＩＲが出力されるごとに実行する割込処理」は、本件補正発明における構成Ｍ１における「テッピングモータを駆動制御することにより、複数の可変表示部の変動速度が規定の速度である定常状態となるように複数の可変表示部の変動制御を行う定常処理」に相当する。
　
　　（ｍ２）刊行物発明における「ステッピングモータ８０Ｌ、８０Ｃ、８０Ｒのモータ駆動回路１１６Ｌ、１１６Ｃ、１１６Ｒへの駆動パルスの出力に関する処理を」行うことは、本件補正発明における「ステッピングモータを駆動制御する」ことに相当する。
　そして、刊行物発明における「ＲＴ移行時加速パターン」は、構成ｈによると、「ＲＴ遊技へ移行した最初の遊技におけるリールの回転開始時」に用いられるものであり、構成ｍ１の「遊技を開始するためにリール４０Ｌ、４０Ｃ、４０Ｒを回転させるための通常加速パターン」とは異なるものである。また、刊行物発明は、「ＲＴ移行時加速パターンに従」うことにより、構成ｈの「各リールにおけるボーナス図柄の位置を一致させ、ボーナス図柄が横一列に並んだ状態で各リールを仮定速で回転させると共に、その状態で所定時間が経過すると定常回転速度に再加速するリール演出回転処理」を行うものである。さらに、刊行物発明における構成ｈの「各リールにおけるボーナス図柄の位置を一致させ、ボーナス図柄が横一列に並んだ状態で各リールを仮定速で回転させ」ることが、本件補正発明における「複数の可変表示部を構成する表示帯同士の相対的な位置関係が特定位置関係となるように複数の可変表示部の変動制御を行う特殊変動制御を行う」ことに相当することは、上記ｈにおいて検討したとおりである。
　したがって、刊行物発明における構成ｍ２の「ＲＴ移行時加速パターンに従って、ステッピングモータ８０Ｌ、８０Ｃ、８０Ｒのモータ駆動回路１１６Ｌ、１１６Ｃ、１１６Ｒへの駆動パルスの出力に関する処理を、クロック発生回路１１２から割込信号ＩＲが出力されるごとに実行する割込処理」は、本件補正発明における構成Ｍ２の「定常状態とは異なり特殊変動制御を行う非定常状態となるように複数の可変表示部の変動制御を行う非定常処理」に相当する。
　
　　（ｍ３）刊行物発明における構成ｍ３と、本件補正発明における構成Ｍ３とを対比する。
　刊行物発明における構成ｍ３の「割込処理は」「リール加速処理を終了して実行される他の割込処理」「を含む」ことと、本件補正発明における構成Ｍ３の「タイマ割込み処理は」「所定の条件に応じて実行される処理期間が異なる特別処理」「を含」むこととは、「タイマ割込み処理は、所定の条件に応じて実行される他の処理を含む」ことで共通する。
　
　　（ｎ）刊行物発明における構成ｎの「リール加速処理を終了して」「他の割込処理」が「実行される」ことと、本件補正発明における構成Ｎの「非定常処理は、タイマ割込み処理において、特別処理の前に実行され」ることとは、上記（ｍ、ｍ３）と同様に、「非定常処理は、タイマ割込み処理において、他の処理の前に実行され」ることで共通する。
　
　上記（ａ）〜（ｎ）によれば、本件補正発明と刊行物発明は、
「【請求項１】
Ａ　各々が識別可能な複数種類の識別情報が所定の順番で配置された表示帯を移動させることで変動表示可能な可変表示部を複数備え、
Ｂ　前記可変表示部の変動表示を停止することで表示結果を導出し、複数の可変表示部の表示結果の組合せに応じて入賞が発生可能なスロットマシンにおいて、
Ｃ　表示結果が導出される前に、入賞について発生を許容するか否かを決定する事前決定手段と、
Ｄ　遊技者が表示結果を導出させるために操作する導出操作手段と、
Ｅ　前記可変表示部の変動速度が規定の速度となったときに前記導出操作手段の操作を有効化する導出操作有効化手段と、
Ｆ　前記導出操作手段が操作されたときに表示結果を導出する制御を行う導出制御手段と、
Ｇ　前記導出操作有効化手段による前記導出操作手段の操作の有効化を遅延させることが可能な有効化遅延手段と、
Ｈ　前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
Ｉ　前記特殊変動制御手段が前記特殊変動制御を行った後に、所定値をランダムに決定する所定値決定手段と、
　を備え、
Ｊ　前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、前記複数の可変表示部を構成する表示帯同士の相対的な位置関係を変化させることが可能であり、
Ｋ　スロットマシンはさらに、
　定期的にタイマ割込み処理を実行して遊技状態を制御する遊技制御手段と、
Ｌ　前記可変表示部を変動表示させるためのステッピングモータとを備え、
Ｍ１’前記ステッピングモータを駆動制御することにより、前記複数の可変表示部の変動速度が規定の速度である定常状態となるように前記複数の可変表示部の変動制御を行う定常処理と、
Ｍ　前記タイマ割込み処理は、
Ｍ２　前記ステッピングモータを駆動制御することにより、前記定常状態とは異なり前記特殊変動制御を行う非定常状態となるように前記複数の可変表示部の変動制御を行う非定常処理と、
Ｍ３’所定の条件に応じて実行される他の処理とを含み、
Ｎ’前記非定常処理は、前記タイマ割込み処理において、他の処理の前に実行される
　スロットマシン。」
　の点で一致し、次の点で相違する。
　
［相違点１］（構成Ｍ３，Ｎ）
　タイマ割込み処理に関し、
　本件補正発明は、所定の条件に応じて実行される処理期間が異なる特別処理を含み、非定常処理は、タイマ割込み処理において、特別処理の前に実行されるのに対して、
　刊行物発明は、そのように特定されていない点。
　
［相違点２］（構成Ｏ）
　本件補正発明は、所定値決定手段は、一の可変表示部を構成する表示帯と該一の可変表示部に隣接する可変表示部を構成する表示帯の相対的な位置関係が変化しない第１値から、一の可変表示部を構成する表示帯と該一の可変表示部に隣接する可変表示部を構成する表示帯の相対的な位置関係が１周分変化する値から１を減算した第２値までの間の値から、いずれの値も決定され得るようにランダムに所定値を決定するのに対して、
　刊行物発明は、再加速カウンタにセットする時間に係る値を、予め定めた値ではなく、各々乱数に基づく抽選によって決定する（構成ｉ）が、本件補正発明のように特定されていない点。
　
　（３）当審の判断
　　　ア　相違点１について
　刊行物発明においては、ＲＴ移行時加速パターンを用いたリール加速処理を終了してから他の割込処理を実行する（構成ｍ３，ｎ）ものであって、割込処理として、ＲＴ移行時加速パターンを用いたリール加速処理以外の他の処理を実行するものである。
　一方、スロットマシンの技術分野において、実行される種々の割込処理に関して、I）ステッピングモータ駆動制御によるリールの定常処理をタイマ割込み処理により行うこと、II）ステッピングモータ駆動制御によるリールの回転処理と、所定の条件に応じて実行される処理期間が異なる特別処理とを割込み処理により行うこと、さらに、III）ステッピングモータ駆動制御によるリールの回転処理の後に、所定の条件に応じて実行される処理期間が異なる特別処理を行うことは、本願出願前に周知の技術事項である（例えば、特開２０１０−１３１４１６号公報の【０１００】〜【０１０３】、【図８】には、ステッピングモータの回転制御により一定の回転速度になるまで加速させることが記載され、【０１６８】〜【０１７８】、【０２１９】〜【０２２６】、【図１６】、【図１９】には、タイマ割込み処理内でのステッピングモータの回転制御を行う割込み処理Ｂｂを、処理時間が一定でなく不安定な他の複数の割込み処理Ｂｃに先行して行うことにより脱調や回転の不安定性を排除できること、ステッピングモータの回転制御により一定の回転速度になるまで加速させることが記載されている。
また、特開２０１１−２５１１７２号公報の【００８６】〜【００９２】、【図１９】には、タイマ割込みによりＳＴ３２の回胴回転制御処理を実行した後に、処理期間が一定でない処理を含むＳＴ３５のメダル情報出力処理、ＳＴ３６の表示出力処理を行うことが記載されている。
さらに、特開２００４−８９４７６号公報の【００２４】〜【００２７】、【図５】には、タイマ割込処理によりＳＴ１７の回転モータ制御処理を行った後に、Ｓ１８〜Ｓ２３の処理期間が一定でない処理を含む各種処理を行うことが記載されている。）。
　
　そして、刊行物発明は、ＲＴ移行時加速パターンを用いたリール加速処理（「非定常処理」）を行うものであるのに対して、上記周知の技術事項は、非定常処理に関する記載はないが、両者は、タイマ割込み処理において、リールの回転処理とリールの回転処理以外の他の処理を行うスロットマシンである点で共通する。
　また、刊行物発明のような非定常処理を行うスロットマシンにおいても、タイマ割込み処理によりリールの回転処理を行う際に、ステッピングモータの回転制御による脱調や回転の不安定性を排除する必要があることは、当業者にとって自明の課題である。
　
　したがって、刊行物発明に上記周知の技術事項を適用して、ＲＴ移行時加速パターンを用いたリール加速処理の後に実行される他の割込み処理を、所定の条件に応じて実行される処理期間が異なる特別処理として、上記相違点１に係る本件補正発明の構成とすることは当業者が容易になし得たものである。
　
　　　イ　相違点２について
　上記（２）対比（ｉ）において検討したように、刊行物発明において、「再加速を開始するタイミング」は、「乱数に基づく抽選によって決定」されるものであり、所定の時間範囲内からランダムに決定されるものであるといえる。
　なお、電子機器の技術分野においては、ランダムな値を得るため抽選を行うのであれば、何らかの上限、下限を有する所定の範囲内から値を決定することは当業者にとって自明である。
　ところで、刊行物発明における「再加速を開始するタイミング」が決定される「所定の時間範囲」が、例えば極端に大きな範囲であれば、一部のリールのみ延々と回り続けることになって遊技が開始されなくなってしまうので、ある程度の大きさになっていることも当業者にとって自明である。
　その程度について、刊行物１に記載された第２実施形態における「初期値」には、０〜３図柄のズレに対しての値として「７２」、「２４」、「０」がセットされることが例示されており（【０１６０】を参照。）、これは、一のリールに対する他のリールの位置関係が、リールが１周するまでの時間範囲内で変化しているというものに含まれている。
　つまり、ランダムに決定する時間範囲の上限値は、結局、何らかの大きさにしなくてはならないこと、そして、リールの構造上、リールが１周すると図柄のズレがなくなり元の状態に戻ることを考慮すれば、その大きさの程度として、「リールが一周するまでの時間範囲内」とすることに技術的困難性があるものではない。
　加えて、刊行物発明は、刊行物１の【０１９０】に記載された第２実施形態における変形例に基づいて認定したものであるが、その変形例に係る構成を備えることにより、「すべてのリールが定常回転速度に達したときの、各リール間の相対位置がランダムな位置関係となるので、遊技者が特定の図柄を狙ってストップスイッチを操作するという技術介入性に影響を与えにくくすることができる。」（【０１９０】）という効果を奏することが刊行物１に記載されている。
　さらに、「各リール間の相対位置」を特定するのにリール一周分が必要十分であることも当業者にとって明らかである。
　
　ここで、刊行物２に記載された技術事項について検討する。
　刊行物２に記載された技術事項の「所定の配置態様を維持した複数の回転リール40を同一回転速度で回転させ」る「回胴演出」は、本件補正発明における構成Ｈの「複数の可変表示部を構成する表示帯同士の相対的な位置関係が特定位置関係となるように複数の可変表示部の変動制御を行う特殊変動制御」に対応する。
　そして、刊行物２に記載された技術事項の「再回転制御手段310は、回転中図柄位置抽選手段184により抽選で決定された、全周に相当する０コマから２０コマの２１個の数値のうち、０コマを除く、１コマから２０コマまでの２０個のうちから１つの数値ｎを用いて、時間Ｇを予め求め」ることのうち、「全周に相当する０コマから２０コマの２１個の数値のうち」「２０コマまで」は、本件補正発明における構成Ｏの「一の可変表示部を構成する表示帯と該一の可変表示部に隣接する可変表示部を構成する表示帯の相対的な位置関係が１周分変化する値から１を減算した第２値まで」に対応する。
　一方、刊行物２には、ランダム再配置を１つの回転リールだけで実施し、残りの２つの回転リールの図柄は揃った状態のままとしてもよい（段落【０１２２】）ことが記載されており、この記載は、ランダム再配置において、回転リールの相対位置が変化しない状態を許容することを示唆している。
　そうすると、刊行物２に記載された技術事項において、「１コマ」は、隣接するリールの間で図柄の相対的な位置関係が変化する値であるが、刊行物２記載の上記示唆事項を勘案すれば、刊行物２に記載された技術事項において、相対的な位置関係が変化しない位置も含めて抽選を行うようにし、相対的な位置関係が変化しない値（０コマ）から、相対的な位置関係が１周分変化する値から１を減算した値（２０コマ）までの全周に相当する範囲内から、ランダムに所定値を決定するように構成することは、刊行物２に記載された技術事項に実質的に含まれるものと解される。
　
　そして、刊行物発明と刊行物２に記載された技術事項とは、複数の可変表示部を構成する表示帯同士の相対的な位置関係が特定位置関係となるように複数の可変表示部の変動制御を行う特殊変動制御を行い、特殊制御実行後の再加速のタイミングをリール毎に異ならせることが可能なスロットマシンである点で共通する。
　また、刊行物発明と刊行物２に記載された技術事項とは、特殊変動制御の後の状態を、目押しの補助とならないようにするという同一の課題を解決するものである。
　
　これらのことからみて、刊行物発明に刊行物２に記載された技術事項を適用して、刊行物１の【０１９０】に記載された「遊技者が特定の図柄を狙ってストップスイッチを操作するという技術介入性に影響を与えにくくすることができる。」という機能を最大限に発揮するために、隣接するリール間の再加速のタイミングのズレの範囲を０コマ〜２０コマの範囲内からランダムに所定値を決定し、上記相違点２に係る本件補正発明の構成とすることは、当業者が容易になし得たものである。
　そして、本件補正発明が上記相違点２に係る構成を備えることによって奏する効果は、「所定値の決定についてランダム性を担保できる。」、「相対的な位置関係が最大限に変化しても１周の範囲内なので最大限のランダム性を得るために要する時間を最小なものとすることができる。」（審判請求書第６頁第１３〜１６行）という程度の、至極当然の効果であって、刊行物発明、及び、刊行物２に記載された技術事項により奏される効果の範囲内のものであるといえる。
　
　　　ウ　小括
　上記ア〜イにおいて検討したことからみて、本件補正発明は、刊行物発明、周知の技術事項、及び、刊行物２に記載された技術事項に基づいて当業者が容易に発明をすることができたものであるから、特許法第２９条第２項の規定により、特許出願の際独立して特許を受けることができない。
　
　４　むすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項４に係る発明（以下「本願発明」という。）は、平成２８年５月２５日付け手続補正書の特許請求の範囲の請求項４に記載された事項により特定される次のとおりのものである。
　
「【請求項４】
Ａ　各々が識別可能な複数種類の識別情報が所定の順番で配置された表示帯を移動させることで変動表示可能な可変表示部を複数備え、
Ｂ　前記可変表示部の変動表示を停止することで表示結果を導出し、複数の可変表示部の表示結果の組合せに応じて入賞が発生可能なスロットマシンにおいて、
Ｃ　表示結果が導出される前に、入賞について発生を許容するか否かを決定する事前決定手段と、
Ｄ　遊技者が表示結果を導出させるために操作する導出操作手段と、
Ｅ　前記可変表示部の変動速度が規定の速度となったときに前記導出操作手段の操作を有効化する導出操作有効化手段と、
Ｆ　前記導出操作手段が操作されたときに表示結果を導出する制御を行う導出制御手段と、
Ｇ　前記導出操作有効化手段による前記導出操作手段の操作の有効化を遅延させることが可能な有効化遅延手段と、
Ｈ　前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
Ｉ　前記特殊変動制御手段が前記特殊変動制御を行った後に、所定値をランダムに決定する所定値決定手段と、
　を備え、
Ｊ　前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、一の表示帯に対する他の表示帯の位置関係を表示帯が１周する範囲内でランダムに変化させ、
Ｋ　スロットマシンはさらに、
　定期的にタイマ割込み処理を実行して遊技状態を制御する遊技制御手段と、
Ｌ　前記可変表示部を変動表示させるためのステッピングモータとを備え、
Ｍ　前記タイマ割込み処理は、
Ｍ１　前記ステッピングモータを駆動制御することにより、前記複数の可変表示部の変動速度が規定の速度である定常状態となるように前記複数の可変表示部の変動制御を行う定常処理と、
Ｍ２　前記ステッピングモータを駆動制御することにより、前記定常状態とは異なり前記特殊変動制御を行う非定常状態となるように前記複数の可変表示部の変動制御を行う非定常処理と、
Ｍ３　所定の条件に応じて実行される処理期間が異なる特別処理とを含み、
Ｎ　前記非定常処理は、前記タイマ割込み処理において、前記特別処理の前に実行される
　ことを特徴とする、スロットマシン。」
　
　２　刊行物
　刊行物１の記載事項、刊行物発明は、前記「第２［理由］　３（１）ア　刊行物１」に記載したとおりである。
　
　３　対比・判断
　本願発明は、前記「第２　２　補正の目的」において検討したとおり、本件補正発明において、「所定値決定手段」に関して、「前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させることにより、
前記複数の可変表示部を構成する表示帯同士の相対的な位置関係を変化させることが可能であり
前記所定値決定手段は、一の可変表示部を構成する表示帯と該一の可変表示部に隣接する可変表示部を構成する表示帯の相対的な位置関係が変化しない第１値から、一の可変表示部を構成する表示帯と該一の可変表示部に隣接する可変表示部を構成する表示帯の相対的な位置関係が１周分変化する値から１を減算した第２値までの間の値から、いずれの値も決定され得るようにランダムに前記所定値を決定する
　
　そして、本願発明の構成Ｊと刊行物発明の構成ｊとは、前記「第２［理由］　３（２）対比（ｊ）」における検討内容からみて、「特殊変動制御手段により特殊変動制御が行われた後、一の可変表示部の変動を開始させ、該一の可変表示部の変動開始後、所定値決定手段によりランダムに決定された所定値に基づく時間が経過した後、他の可変表示部の変動を開始させる」ことで共通する。
　したがって、本願発明と刊行物発明とは、構成（Ｊ）に関して、次の点で相違する。
［相違点３］（構成（Ｊ））
　特殊変動制御が行われた後、一の可変表示部の変動を開始させ、該一の可変表示部の変動開始後、所定値決定手段によりランダムに決定された所定値に基づく時間が経過した後、他の可変表示部の変動を開始させることに関して、
　本願発明は、一の表示帯に対する他の表示帯の位置関係を表示帯が１周する範囲内でランダムに変化させるのに対して、
　刊行物発明は、そのように特定されていない点。
　
　さらに、本願発明と刊行物発明とは、前記「第２［理由］　３（２）対比」において検討したように、構成Ｍ３、Ｎに関して、次の点で相違し、その余の点で一致する。
［相違点４］（構成Ｍ３，Ｎ）
　タイマ割込み処理に関し、
　本件補正発明は、所定の条件に応じて実行される処理期間が異なる特別処理を含み、非定常処理は、タイマ割込み処理において、特別処理の前に実行されるのに対して、
　刊行物発明は、そのように特定されていない点。
　
　そこで、まず、上記相違点３について検討する。
　刊行物発明において、「再加速の開始タイミング」をずらす量は、「乱数に基づく抽選によって決定」されるものであり（刊行物発明の構成ｊ）、所定の時間範囲内からランダムに決定されるものであるといえる。
　なお、電子機器の技術分野においては、ランダムな値を得るため抽選を行うのであれば、何らかの上限、下限を有する所定の範囲内から値を決定することは当業者にとって自明である。
　そして、刊行物発明における「再加速を開始するタイミング」が決定される「所定の時間範囲」が、例えば極端に大きな範囲であれば、一部のリールのみ延々と回り続けることになって遊技が開始されなくなってしまうので、ある程度の大きさになっていることも当業者にとって自明である。
　その程度について、刊行物１に記載された第２実施形態における「初期値」には、０〜３図柄のズレに対しての値として「７２」、「２４」、「０」がセットされることが例示されており（【０１６０】を参照。）、これは、一のリールに対する他のリールの位置関係が、リールが１周するまでの時間範囲内で変化しているというものに含まれている。
　つまり、ランダムに決定する時間範囲の上限値は、結局、何らかの大きさにしなくてはならないこと、そして、リールの構造上、リールが１周すると図柄のズレがなくなり元の状態に戻ることを考慮すれば、その大きさの程度として、「リールが一周するまでの時間範囲内」とすることに技術的困難性があるものではない。
　加えて、刊行物発明は、刊行物１の【０１９０】に記載された第２実施形態における変形例に基づいて認定したものであるが、その変形例に係る構成を備えることにより、「すべてのリールが定常回転速度に達したときの、各リール間の相対位置がランダムな位置関係となるので、遊技者が特定の図柄を狙ってストップスイッチを操作するという技術介入性に影響を与えにくくすることができる。」（【０１９０】）という効果を奏することが記載されている。
　さらに、「各リール間の相対位置」を特定するのにリール一周分が必要十分であることも当業者にとって明らかである。
　これらのことからみて、刊行物発明において、刊行物１の【０１９０】に記載された「遊技者が特定の図柄を狙ってストップスイッチを操作するという技術介入性に影響を与えにくくすることができる。」という機能を最大限に発揮するために、「一のリールと他のリールの相対的位置関係を一周分まで（最大限）ずらすこと」により、リール間における相対的位置のずれ量のランダム性を向上させることは、当業者が適宜なし得たものであるといえる。
　したがって、刊行物発明、及び、刊行物１に記載された事項に基づいて、上記相違点３に係る本願発明の構成（Ｊ）とすることは、当業者が容易になし得たものである。
　また、本願発明が上記相違点３に係る構成を備えることによって奏する効果は、「一の表示帯と他の表示帯の相対的位置関係を最大限の範囲でランダムに変化させることができるうえに、最大限のランダム性を得るために要する時間も最小なものになる」（平成２８年５月２５日付け意見書第４頁第２〜４行）という程度の、至極当然の効果であって、刊行物発明、及び、刊行物１に記載された技術事項により奏される効果の範囲内のものであるといえる。
　
　次に、上記相違点４について検討する。
　相違点４は、前記相違点１と同じであるから、前記「第２［理由］３（３）当審の判断　ア　相違点１について」において検討したことと同様に、刊行物発明に前記周知の技術事項を適用して、リール加速処理の後に実行される他の割込み処理を、所定の条件に応じて実行される処理期間が異なる特別処理として、上記相違点４に係る本願発明の構成とすることは当業者が容易になし得たものである。
　
　４　むすび
　以上のとおりであるから、本願発明は、刊行物発明、及び、周知の技術事項に基づいて当業者が容易に発明をすることができたものであるから特許法第２９条第２項の規定により特許を受けることができない。
　したがって、本願は、拒絶されるべきものである。
　
　よって、結論のとおり審決する。